(57)【要約】【課題】  大型のものでも容易に施工できる縦型ルーバー装置の提供。【解決手段】  躯体１に取付ける上下の梁材２，３と、上下の梁材に取付けて上下の梁材の長手方向に並べて配置する複数のルーバーユニット４，４…とを備え、上下の梁材は、長手方向に係合溝５，６を有しており、ルーバーユニットは、上枠７と、下枠８と、上枠と下枠に縦軸１０，１１で回転自在に軸支した複数の竪ルーバー羽根９，９…とを有し、上枠は、係合部１２を有しており、下枠は、係合部１３を有し、且つ竪ルーバー羽根に対して所定の範囲のみ上下動自在に縦軸に取付けてあり、ルーバーユニット４を上枠７の係合部１２を上梁材２の係合溝５に係止して吊下げたときに下枠８の係合部１３が下梁材３の前方に位置し、下枠８を上下動して下枠の係合部１３を下梁材３の係合溝６に落とし込み自在としてある。【選択図】      図１
2008075286.tif 000002
【特許請求の範囲】
【請求項１】
躯体に取付ける上下の梁材と、上下の梁材に取付けて上下の梁材の長手方向に並べて配置する複数のルーバーユニットとを備え、上下の梁材は、長手方向に係合溝を有しており、ルーバーユニットは、上枠と、下枠と、上枠と下枠に縦軸で回転自在に軸支した複数の竪ルーバー羽根とを有し、上枠は、係合部を有しており、下枠は、係合部を有し、且つ竪ルーバー羽根に対して所定の範囲のみ上下動自在に縦軸に取付けてあり、ルーバーユニットを上枠の係合部を上梁材の係合溝に係止して吊下げたときに下枠の係合部が下梁材の前方に位置し、下枠を上下動して下枠の係合部を下梁材の係合溝に落とし込み自在としてあることを特徴とする縦型ルーバー装置。
【発明の詳細な説明】
【技術分野】
【０００１】
本発明は、縦型ルーバー装置に関する。
【背景技術】
【０００２】
アパートやマンションのベランダには、外からの視線を遮ってプライバシーを保護したり、強い日差しを和らげたりする目的で、目隠し部材を設置することがある。特許文献１には、パネル状の目隠し部材の室内側面に鉤形の係合部材を複数設け、係合部材をベランダの上下の横部材に上方から引っ掛けることで、目隠し部材を着脱自在に取付けることが記載されている。このような目隠し材は、面積の大きい大型のものになると、重くて取付けが容易に行えない。さらに、係合部材は目隠し部材のフレームに固定して取付けてあり、係合部材の上下方向の間隔と、これらを引っ掛けるベランダの横部材の上下間隔が一致していないと、取付けたときに目隠し部材ががたついたり、係合部材が破損したりといった不都合が生じる。
【０００３】
また、採光量や通風量を調節するため、あるいは建物の外装のアクセントとして、特許文献２に記載されているような縦型ルーバー装置をベランダ等に設置することがある。このような縦型ルーバー装置は、上下の支持体１，１を建物の躯体に取付けた後、支持体に形成した穴にルーバー羽根の上下端面から突出する軸を差し込むようにして、ルーバー羽根を一つ一つ施工現場で取付けなければならず、施工に時間がかかっていた。
【特許文献１】特開２００２−２２７２９３号公報（第４頁、第２６図）
【特許文献２】特開２００６−１６７６５号公報
【発明の開示】
【発明が解決しようとする課題】
【０００４】
本発明は以上に述べた実情に鑑み、大型のものでも容易に施工できる縦型ルーバー装置の提供を目的とする。
【課題を解決するための手段】
【０００５】
上記の課題を達成するために請求項１記載の発明による縦型ルーバー装置は、躯体に取付ける上下の梁材と、上下の梁材に取付けて上下の梁材の長手方向に並べて配置する複数のルーバーユニットとを備え、上下の梁材は、長手方向に係合溝を有しており、ルーバーユニットは、上枠と、下枠と、上枠と下枠に縦軸で回転自在に軸支した複数の竪ルーバー羽根とを有し、上枠は、係合部を有しており、下枠は、係合部を有し、且つ竪ルーバー羽根に対して所定の範囲のみ上下動自在に縦軸に取付けてあり、ルーバーユニットを上枠の係合部を上梁材の係合溝に係止して吊下げたときに下枠の係合部が下梁材の前方に位置し、下枠を上下動して下枠の係合部を下梁材の係合溝に落とし込み自在としてあることを特徴とする。
【発明の効果】
【０００６】
本発明の縦型ルーバー装置は、上枠の係合部を上梁材の係合溝に係止してルーバーユニットを上枠に吊下げると、下枠の係合部が下梁材の前方に位置し、下枠は竪ルーバー羽根に対して所定の範囲で上下動自在としてあるので、下枠を若干持ち上げるようにしながら下枠の係合部を下梁材の係合溝に落とし込んで係止することで、ルーバーユニットを上梁材と下梁材に簡単に取付けることができる。しかも、上梁材と下梁材の長手方向に係合溝が形成してあることで、そのように取付けたルーバーユニットを上梁材と下梁材の長手方向にスライドさせて取付け位置を左右に調整できる。このように複数のルーバーユニットを上梁材と下梁材に順次並べて取付けることで、大型のものでも容易に、短時間で施工できる。さらに、ルーバーユニットの下枠が所定の範囲で上下動自在となっていることで、上梁材と下梁材の取付けに上下方向の誤差があっても、その誤差を吸収してルーバーユニットを問題なく取付けできる。
【発明を実施するための最良の形態】
【０００７】
以下、本発明の実施の形態を図面に基づいて説明する。図５は、本発明の縦型ルーバー装置の一実施形態を示す正面図であり、図６は同縦型ルーバー装置の平面図である。この縦型ルーバー装置は、図６に示すように、建物を平面視コ字形に形成し、道路１４に面して中庭１５を設けた中庭付き住宅において、道路１４と中庭１５とのさかいに垣根状に設置したものである。本縦型ルーバー装置は、中庭１５の間口に水平に渡すように建物の躯体１に取付けた上下の梁材２，３と、上下の梁材２，３に取付けて上下の梁材２，３の長手方向に並べて配置した複数のルーバーユニット４，４…とで構成されている。本縦型ルーバー装置の高さＨは、約３メートルとなっている。
【０００８】
上梁材２は、アルミニウム合金の中空押出形材で形成してあり、図２に示すように、断面形状は略正方形で、上面壁に長手方向に連続して係合溝５を設けてある。下梁材３も、アルミニウム合金の中空押出形材で形成してあり、断面形状は略正方形で、前面壁に長手方向に連続して係合溝６を設けてある。下梁材３の係合溝６には、溝の入口側下部より上方に突出する突片１６を有している。上梁材２と下梁材３は、図３に示すように、両端部を躯体１に固定した取付具１７に支持し、ボルト・ナット１８で取付具１７に固定してある。
【０００９】
ルーバーユニット４は、上枠７と、下枠８と、上枠７と下枠８に縦軸１０，１１で回転自在に軸支した４枚の竪ルーバー羽根９，９…を有している。上枠７は、アルミニウム合金の押出形材で形成してあり、後側の上部に、下向きにＬ形に曲がった係合部１２を長手方向に連続して有しており、係合部１２を上梁材２の係合溝５に上方から係止すると共に、上方からネジ１９で上梁材２に固定してある。下枠８もアルミニウム合金の押出形材で形成してあり、後側の上部に、下向きにＬ形に曲がった係合部１３を長手方向に連続して有し、後側の下部に下方に垂下した当接部２０を有している。下枠８は、係合部１３を下梁材３の係合溝６に前方から落とし込んで係止させ、当接部２０を下梁材３の前面に当接し、ネジ３４で下梁材３に固定してある。
【００１０】
竪ルーバー羽根９は、図２と図３に示すように、アルミニウム合金の中空押出形材よりなるルーバー本体９ａに、上蓋９ｂと下蓋９ｃを取付けて形成してある。ルーバー本体９ａは、後側から前側に向かって厚みが徐々に薄くなった略二等辺三角形状の断面形状となっている。ルーバー本体９ａの表面には細かい凹凸模様が付けてあり、これによりルーバー本体９ａに当たった光が拡散するようにしている。
上蓋９ｂには、縦軸１０が上方に突出して設けてあり、縦軸１０の上部が上枠７内に設けた保持部２１に保持してある。この保持部２１の構成について説明すると、縦軸１０は、鍔状部１０ａを上枠７下面に取付けた目板２２に係止して抜け止めされ、縦軸１０上端部にはストッパー部材２３が後方に向けて直角に取付けてあり、ストッパー部材２３の先端面にはバネ２４で突出側に付勢した鋼球２５を有している。このストッパー部材２３にかぶせるようにしてケース２６が取付けてあり、図４に示すように、ケース２６内にはストッパー部材２３の縦軸１０回りの回転を許容する空洞部２７が平面視扇形に設けてあり、空洞部２７の円弧状の壁に一定の間隔をおいて前記鋼球２５が係止する溝２８が複数形成してある。竪ルーバー羽根９を縦軸１０，１１回りに回転させるとストッパー部材２３もいっしょに回転し、鋼球２５が溝２８に係止する角度で竪ルーバー羽根９が保持される。
下蓋９ｃは、上蓋９ｂの縦軸１０と同じ位置に縦軸１１が下方に突出して設けてあり、この縦軸１１は、下枠８上面に取付けた筒状の軸受け部材２９に挿通され、先端部にスナップリング３５を取付けて抜け止めされている。軸受け部材２９の下面とスナップリング３５との間には隙間があり、そのため下枠８は、竪ルーバー羽根９に対して所定の範囲で上下動自在となっている。
【００１１】
ルーバーユニット４の４枚の竪ルーバー羽根９は、上下方向の中間の高さ位置の後部を、蝶つがい状の取付具３０を介して棒状の中間部連結材３１で連結してある。さらに、４枚の竪ルーバー羽根９の上端面と下端面の後部にも棒状の連結材３２を取付けて繋いである。各ルーバーユニット４の中間部連結材３１は、図３に示すように、連結部材３３により繋いである。そのため、全ての竪ルーバー羽根９，９…は連動して回転し、同一の角度で保持される。竪ルーバー羽根９を回転させるには、左右に離れた二枚の竪ルーバー羽根９（例えば４つ並んだ竪ルーバー羽根９のうちの両側の２枚）を後側から左右の手で直接掴み、手首を曲げるようにして手動で簡単に行うことができる。
【００１２】
本縦型ルーバー装置の施工手順を述べると、まず、上梁材２と下梁材３を躯体１の所定の高さ位置に取付ける。その後、図７に示すように、工場で予め組み立てられたルーバーユニット４を、前方から上梁材２と下梁材３に引っ掛けるようにして順次取付ける。その際のルーバーユニット４の取付け方を、図１に即して説明する。まず、図１（ａ）に示すように、ルーバーユニット４を後方に若干傾けるようにして持ち、上枠７の係合部１２を上梁材２の係合溝５に引っ掛けて吊下げる。このとき、上梁材２の上面に係合溝５が形成してあることで、係合溝５が作業者から見えなくても、単に上枠７の係合部１２を上梁材２の上に載せるようにするだけで、容易に上枠７の係合部１２を係合溝５に引っ掛けることができる。こうしてルーバーユニット４を上枠７に吊下げると、ルーバーユニット４の下枠８の係合部１３が下梁材３の前方に位置するので、ルーバーユニット４から手を離し、図１（ｂ）に示すように、下枠８のみを若干持ち上げて下枠８の係合部１３の高さを下梁材３の係合溝６に合わせ、係合部１３を係合溝６に落とし込んで係止させる。このとき、下梁材３の係合溝６が下梁材３の前面に形成してあり、係合溝６が作業者によく見えるので、下枠６の係合部１３を係合溝６に容易に落とし込むことができる。このようにしてルーバーユニット４を上梁材２と下梁材３に仮付けし、横にスライドさせてルーバーユニット４を所定の位置に移動させる。全てのルーバーユニット４を上梁材２と下梁材３に取付けたら、図１（ｃ）に示すように、上枠７を上梁材２に、下枠８を下梁材３に、それぞれネジ１９，３４で固定する。最後に、各ルーバーユニット４の中間部連結材３１を、連結部材３３により互いに連結する。
【００１３】
以上に述べたように、ルーバーユニット４は、上枠７の係合部１２を上梁材２の係合溝５に引っ掛けて吊下げた後、下枠８を若干持ち上げながら下枠８の係合部１３を下梁材３の係合溝６に落とし込んで係止することで、背の高いルーバーユニット４であっても、脚立等を使用することなく、一人で簡単に取付けが行える。また、上梁材２と下梁材３の取付け位置に上下方向の誤差があっても、下枠８が上下動することでその誤差を吸収し、ルーバーユニット４を問題なく取付けることができる。さらに、複数のルーバーユニット４に分割して構成したことで、広い間口に施工する場合でも、容易に、且つ短時間で施工することができる。
また本実施形態のように、中庭１５を囲うように背の高い縦型ルーバー装置を設置することで、外からの視線を遮ってプライバシーを保護すると共に、天候や季節に応じて竪ルーバー羽根９の向きを変えて光と風の入る量を調節し、中庭１５を常に快適で居心地の良い空間とすることができる。
【００１４】
本発明は、以上に述べた実施形態に限定されない。上梁材の係合溝は、下梁材の係合溝と同じように、上梁材の前面に形成することもできる。上枠と下枠の係合部は、必ずしも上枠と下枠の長手方向に連続して形成したものでなくてもよく、上枠や下枠と別体に形成してネジ等で上枠と下枠に取付けてもよい。本発明の縦型ルーバー装置は、例えば住宅の窓を隠すように設置したり、集合住宅のベランダや共用通路に設置したり、商業施設等の建物の外観のアクセントとして建物の外壁を覆うように設置したりすることもできる。
【図面の簡単な説明】
【００１５】
【図１】ルーバーユニットを上下の梁材に取付ける際の手順を順に示す側面図である。
【図２】図５のＡ−Ａ断面図である。
【図３】図５のＢ−Ｂ断面図である。
【図４】（ａ）は図２のＣ−Ｃ断面図であり、（ｂ）は竪ルーバー羽根を最大限回転させたときの同部分の断面図である。
【図５】本発明の縦型ルーバー装置の一実施形態を示す正面図である。
【図６】本発明の縦型ルーバー装置の一実施形態を示す平面図である。
【図７】ルーバーユニットを上下の梁材に取付けるときの様子を示す斜視図である。
【符号の説明】
【００１６】
１  躯体
２  上梁材
３  下梁材
４  ルーバーユニット
５  上梁材の係合溝
６  下梁材の係合溝
７  上枠
８  下枠
９  竪ルーバー羽根
１０，１１  縦軸
１２  上枠の係合部
１３  下枠の係合部
【図１】
2008075286.tif 000003
【図２】
2008075286.tif 000004
【図３】
2008075286.tif 000005
【図４】
2008075286.tif 000006
【図５】
2008075286.tif 000007
【図６】
2008075286.tif 000008
【図７】
2008075286.tif 000009